(57)【要約】【課題】電子機器の表示機構において単純な構成で多彩な表示を実現し得るようにすること。【解決手段】電子機器、例えば音声記録再生装置において、当該音声記録再生装置に係る情報を表示するための表示装置を、自己発光型の表示装置である有機エレクトロルミネッセント（ＥＬ）パネル２５Ａによって構成し、該有機ＥＬパネル２５Ａの表示窓１１を外れた部分に一端が対向し、他端が当該音声記録再生装置の外部へ露出するように、ライトガイド１４Ａを設置して、例えば音声記録（録音）動作が行われている最中、システム制御部により、上記ライトガイド１４Ａの一端が対向する有機ＥＬパネル２５Ａの部分を点灯させることで、このライトガイド１４Ａの他端を発光させて、録音表示ランプ１４として機能させる。【選択図】　　図１
2004086006.tif 000002
【特許請求の範囲】
【請求項１】
発光型の表示素子を有する電子機器の表示機構において、
上記表示素子の表示を確認するための表示窓と、
一端が上記表示素子の一部に対向し、他端が上記表示窓とは異なる位置で電子機器本体外部に露出するように配置された導光手段と、
を具備することを特徴とする電子機器の表示機構。
【請求項２】
上記導光手段の一端は、上記表示窓正面から不可視の位置に配置されていることを特徴する請求項１に記載の電子機器の表示機構。
【請求項３】
更に、上記表示素子の表示を制御する表示制御手段を具備し、
上記表示制御手段は、該電子機器の動作モードに応じて、上記表示素子のうち、上記導光手段の一端が対向する部分の表示を制御することを特徴する請求項１に記載の電子機器の表示機構。
【請求項４】
上記表示素子は、ＥＬ素子、あるいはバックライト機構を有する液晶表示素子であることを特徴する請求項１に記載の電子機器の表示機構。
【発明の詳細な説明】
【０００１】
【発明の属する技術分野】
本発明は、発光型の表示素子を有する電子機器の表示機構に関する。
【０００２】
【従来の技術】
電子機器においては、その動作モード等を表示するため、発光型の表示素子を備えていることが多い。
【０００３】
このような電子機器の一つとして、マイクロホン等によって得られた音声信号をディジタル信号に変換して、例えば半導体メモリに記録しておき、再生時において、該半導体メモリからこの音声信号を読み出してアナログ信号に変換し、スピーカ等により音声として出力する、いわゆるディジタルレコーダと呼ばれている音声記録再生装置が知られている。
【０００４】
例えば、そのような音声記録再生装置は、特開２０００−２６０１９２号公報に開示されている。
【０００５】
この公報に開示される音声記録再生装置のように、この種の装置では、各種の情報を表示するため液晶表示パネル（ＬＣＤ）と共に、使用者に比較的重要なサインを知らしめるために、別途に視認性の高いＬＥＤなどを備えている。これらＬＣＤ及びＬＥＤはそれぞれ、ＣＰＵによって制御されている。
【０００６】
【発明が解決しようとする課題】
上述したように、音声記録再生装置は、ＬＣＤとＬＥＤという種類の異なる表示装置を備えているため、装置が複雑になると共に、それら表示装置の制御も複雑になる。
【０００７】
また、ＬＣＤは多彩な情報が表示できるものの視認性があまり良くなく、逆に、ＬＥＤは視認性が良いものの、ごく単純な表示しかできないため、いずれか一方のみを採用するということは難しい。
【０００８】
このような問題は、音声記録再生装置に限らず、他の電子機器においても同様に存在する。
【０００９】
本発明は、上記の点に鑑みてなされたもので、単純な構成で多彩な表示を実現し得る電子機器の表示機構を提供することを目的とする。
【００１０】
【課題を解決するための手段】
上記の目的を達成するために、本発明による電子機器の表示機構は、
発光型の表示素子を有する電子機器の表示機構であって、
上記表示素子の表示を確認するための表示窓と、
一端が上記表示素子の一部に対向し、他端が上記表示窓とは異なる位置で電子機器本体外部に露出するように配置された導光手段と、
を具備することを特徴とする。
【００１１】
即ち、本発明の電子機器の表示機構によれば、ＬＥＤに代えて、一端が発光型表示素子の一部に対向し、他端が上記表示素子の表示を確認するための表示窓とは異なる位置で電子機器本体外部に露出するように配置された導光手段を採用したものである。従って、単純な構成で多彩な表示を実現し得る。
【００１２】
なお、上記導光手段の一端は、上記表示窓正面から不可視の位置に配置されることができる。
【００１３】
また、更に、上記表示素子の表示を制御する表示制御手段を具備し、
上記表示制御手段は、該電子機器の動作モードに応じて、上記表示素子のうち、上記導光手段の一端が対向する部分の表示を制御することが好ましい。
【００１４】
また、上記表示素子は、ＥＬ素子、あるいはバックライト機構を有する液晶表示素子であることができる。
【００１５】
【発明の実施の形態】
以下、本発明の実施の形態を図面を参照して説明する。
【００１６】
［第１の実施の形態］
図１の（Ａ）は、本発明の第１の実施の形態に係る表示機構の適用された電子機器としての音声記録再生装置の外観を示す斜視図である。
【００１７】
即ち、該音声記録再生装置の前面には、録音釦ＲＥＣ、停止釦ＳＴＯＰ、フォルダ釦ＦＯＬＤＥＲ、消去釦ＥＲＡＳＥ、モード釦ＭＯＤＥ、表示窓１１、及びスピーカ１２が配され、側面には、メニュー釦ＭＥＮＵ、再生釦ＰＬＡＹ、早戻し釦ＲＥＷ、及び早送り釦ＦＦが配されている。そして、上面には、内蔵マイクロホン１３、録音表示ランプ１４、イヤホンジャック１５、及びマイクロホンジャック１６が配されている。
【００１８】
図２は、この音声記録再生装置の構成を示すブロック図である。
音声を電気信号に変換する上記内蔵マイクロホン１３からの音声出力は、それに接続されたマイクアンプ１５によって増幅された後、ローパスフィルタ１６を介してＡ／Ｄ変換器１７に入力されるようになっている。即ち、マイクアンプ１５で増幅されたアナログの音声信号は、ローパスフィルタ１６でエリアシングノイズの発生を防止するため不要な周波数帯域をカットされ該Ａ／Ｄ変換器１７に入力される。
【００１９】
上記Ａ／Ｄ変換器１７においてアナログ信号である音声信号はディジタル信号に変換された後、ディジタル信号処理部１８に入力されるようになっている。
【００２０】
また、上記ディジタル信号処理部１８には、該ディジタル信号処理部１８の動作を制御する、図示しない制御回路が接続されているとともに、符号化されたデータを一時的に記憶するデータＩ／Ｏバッファが接続されている。なお、上記制御回路は後述するシステム制御部１９に接続され、制御されるようになっている。
【００２１】
上記ディジタル信号処理部１８は、音声記録（録音）時には、システム制御部１９に制御されて上記Ａ／Ｄ変換器１７でディジタル信号に変換された音声信号をフレーム単位で一定のフォーマットのデータに圧縮変換（符号化）し、符号化されたデータは一時的に上記データＩ／Ｏバッファに記録され、この後、システム制御部１９に対して伝送されるようになっている。
【００２２】
一方、再生時には、上記ディジタル信号処理部１８は、システム制御部１９に制御されて該システム制御部１９からのデータをフレーム単位で伸長変換（復号化）する処理を行い、復号化されたディジタル信号は、Ｄ／Ａ変換器２０に対して出力するようになっている。
【００２３】
上記Ｄ／Ａ変換器２０でアナログ信号に変換された音声信号は、不要な周波数帯域をカットして量子化雑音を軽減するローパスフィルタ２１を介して、該音声信号を増幅して上記スピーカ１２を駆動するパワーアンプ２２に入力されるようになっている。そして、該パワーアンプ２２で増幅された音声信号は音声に変換して放音する上記スピーカ１２より発音されるようになっている。
【００２４】
また、上記システム制御部１９は、マイクロプロセッサ（ＣＰＵ）で構成され、当該音声記録再生装置の各部の動作を制御する制御手段としての役目を果たすと共に、後述する記録媒体（メモリカード）２３に、上記符号化された音声データを含む音声ファイルを記録する。即ち、このシステム制御部１９には、例えばフラッシュメモリカード等の記録媒体２３がメモリカード制御部等を介して接続される。この記録媒体２３は、当該音声記録再生装置に着脱自在であって、所定の音声データおよび該音声データに関するインデックス情報が各々記録される音声データ領域およびインデックス情報領域を有する記録媒体である。
【００２５】
さらに、システム制御部１９には、図示しないアドレス制御回路が接続されており、操作部２４の操作に応じて、該アドレス制御回路に適当なアドレス信号を与え、上記ディジタル信号処理部１８から供給された音声データのほか、録音日時、インデックス情報等を所定のフォーマットに基づいて上記記録媒体２３に記録、あるいは該記録媒体２３に記録されているデータを読み出して上記ディジタル信号処理部１８に供給するようになっている。
【００２６】
また、上述したように上記システム制御部１９には、上記録音釦ＲＥＣ、再生釦ＰＬＡＹ、停止釦ＳＴＯＰ、早送り釦ＦＦ、早戻し釦ＲＥＷ、フォルダを選択するフォルダ釦ＦＯＬＤＥＲ、等の操作部２４が接続されている。
【００２７】
そして更に、上記システム制御部１９には、当該音声記録再生装置に係る各種情報を表示する表示装置２５が駆動回路２６を介して接続されている。この表示装置２５は、各種動作モードに係る情報、日付情報、日付に関連づけられた音声ファイルの有無もしくはファイル数を表示する。
【００２８】
この表示装置２５は、図１の（Ｂ）及び（Ｃ）に示すように、自己発光型の表示装置である有機エレクトロルミネッセント（ＥＬ）パネル（ＯＥＬＤ）２５Ａによって構成され、使用者は、上記表示窓１１を通して、この有機ＥＬパネル２５Ａに表示された上記の各種情報を観察できるようになっている。
【００２９】
この有機ＥＬパネル２５Ａは、ＬＣＤに比べ視野角が広く、コントラストも良く、視認性に優れているものである。また、カラー表示も可能であり、更には、バックライトが不要なため、薄型・軽量化が実現でき、消費電力の面でも有利であるので、本音声記録再生装置のような携帯型の装置には好適なものである。
【００３０】
本実施の形態においては、上記有機ＥＬパネル２５Ａは、上記表示窓１１よりも大きく構成されている。そして、一端がその有機ＥＬパネル２５Ａ上の上記表示窓１１を外れた部分（上記表示窓１１正面から不可視の位置）に対向し、他端が上記表示窓１１とは異なる位置で当該音声記録再生装置の外部へ露出するように、ライトガイド１４Ａが設置されている。即ち、このライトガイド１４Ａは、表示制御手段として機能する上記システム制御部１９の制御により上記一端が対向する有機ＥＬパネル２５Ａの部分で発光された光を、上記一端で受光し、上記他端側から放射する導光手段である。
【００３１】
而して、音声記録（録音）動作が行われている最中、上記システム制御部１９により、上記ライトガイド１４Ａの一端が対向する有機ＥＬパネル２５Ａの部分を点灯させることで、このライトガイド１４Ａの他端は、上記録音表示ランプ１４として機能することになる。即ち、このような有機ＥＬパネル２５Ａとライトガイド１４Ａを使用することで、ＬＥＤを用いること無く、視認性に優れた録音表示ランプ１４を提供することができる。
【００３２】
また、例えば録音中は赤色、再生中は緑色のように発光色を変えることで、上記録音表示ランプ１４を再生表示ランプとしても兼用できるようになる。
【００３３】
なお、本実施の形態では、図１の（Ｂ）に示すように、上記ライトガイド１４Ａの一端側と上記表示窓１１との間に遮光板２７を設けることにより、上記ライトガイド１４Ａの一端が対向する有機ＥＬパネル２５Ａの部分を点灯させたときに、その光が上記表示窓１１側に漏れて使用者に観察されることがないようにしている。
【００３４】
また、有機ＥＬパネル２５Ａの内、上記表示窓１１を通した表示及び上記ライトガイド１４Ａの一端が対向する部分以外の領域は使用されることはないが、誤作動によりその領域が発光されてしまうと、その光が上記表示窓１１又は上記ライトガイド１４Ａにより使用者に視認されてしまうので、図３の（Ａ）に示すようにその未使用領域は始めから形成しないようにしたり、同図の（Ｂ）に示すようにその未使用領域を遮光しておくようにすることが好ましい。
【００３５】
また、ライトガイドの数は一つに限定されるものではなく、図３の（Ｃ）に示すように２つのライトガイド１４Ａ１，１４Ａ２を使用することで、例えば上記録音表示ランプ１４と再生表示ランプとを個別に提供することができる。勿論、この場合も、図３の（Ａ）及び（Ｂ）に示すように有機ＥＬパネル２５Ａを構成しても良い。
【００３６】
更には、図４に示すように、ライトガイド１４Ａを押し釦２８の内部に通し、他端が該押し釦２８の押圧部に露出するように形成しても良い。このような構成によれば、必要に応じて押し釦２８の押圧部を光らせることができるので、使用者に操作すべき押し釦２８を容易に提示できるようになる。特に、複数個の押し釦を備える場合、各動作時点で操作可能な釦のみを使用者に知らしめることができ、使用者の無駄な操作を防止できる。
【００３７】
また、このような押し釦だけでなく、スライド釦等、他の形状の操作部材でも同様に適用可能なことは勿論である。
【００３８】
［第２の実施の形態］
次に、本発明の第２の実施の形態を説明する。
【００３９】
図５の（Ａ）は、本第２の実施の形態に係る表示機構の適用された電子機器としての音声記録再生装置の特徴部分の構成を示す断面図である。
【００４０】
即ち、本第２の実施の形態においては、上記第１の実施の形態における有機ＥＬパネル２５Ａに代えて、上記表示装置２５として、透過型ＬＣＤパネル２５Ｂと、ＥＬバックライト２５Ｃとを使用するものである。
【００４１】
このような構成の表示装置２５としても、上記第１の実施の形態と同様の作用効果を奏することができる。
【００４２】
また、本実施の形態においても、図３の（Ａ）乃至図４に示したような変形が可能なことは勿論である。
【００４３】
［第３の実施の形態］
次に、本発明の第３の実施の形態を説明する。
【００４４】
本第３の実施の形態は、ライトガイドの他端の音声記録再生装置の外部への露出位置が、図１の（Ａ）のような当該音声記録再生装置の上面ではなく、前面である場合の例である。
【００４５】
この場合は、特に図示はしないが、上記表示窓１１の横にその他端が露出するように、直線状のライトガイド１４Ａを、有機ＥＬパネル２５Ａに対し垂直に配置構成する。
【００４６】
或いは、図５の（Ｂ）に示すように、窓部２９Ａとライトガイド部２９Ｂとを一体に形成した窓兼ライトガイド部材２９を配置するようにしても良い。
【００４７】
また勿論、本実施の形態においても、図３の（Ａ）乃至図４に示したような変形が可能である。
【００４８】
以上、実施の形態に基づいて本発明を説明したが、本発明は上述した実施の形態に限定されるものではなく、本発明の要旨の範囲内で種々の変形や応用が可能なことは勿論である。
【００４９】
例えば、本発明は、実施の形態で説明した録音表示ランプ以外のどのような種類の表示ランプにも適用可能である。
【００５０】
また、本発明の表示機構の適用される電子機器は、上記のような音声記録再生装置に限定されるものではないことは勿論である。
【００５１】
【発明の効果】
以上詳述したように、本発明によれば、ＬＥＤに代えて、一端が発光型表示素子の一部に対向し、他端が上記表示素子の表示を確認するための表示窓とは異なる位置で電子機器本体外部に露出するように配置された導光手段を採用したので、単純な構成で多彩な表示を実現し得る電子機器の表示機構を提供することができる。
【００５２】
即ち、一種類の表示装置で視認性が必要な表示も行えるようになり、システム構成が単純になる。
【００５３】
また、単純な構成であるにもかかわらず、ＬＥＤよりも複雑な表示が可能となる。
【図面の簡単な説明】
【図１】（Ａ）は本発明の第１の実施の形態に係る表示機構の適用された電子機器としての音声記録再生装置の外観を示す斜視図、（Ｂ）は第１の実施の形態に係る表示機構の構成を示す断面図であり、（Ｃ）は有機ＥＬパネルと表示窓及びライトガイドとの位置関係を説明するための平面図である。
【図２】第１の実施形態に係る表示機構の適用された電子機器としての音声記録装置のブロック構成図である。
【図３】（Ａ）乃至（Ｃ）はそれぞれ第１の実施の形態に係る表示機構の変形例を説明するための平面図である。
【図４】第１の実施の形態に係る表示機構の別の変形例を説明するための断面図である。
【図５】（Ａ）は本発明の第２の実施の形態に係る表示機構の適用された電子機器としての音声記録再生装置の特徴部分の構成を示す断面図であり、（Ｂ）は本発明の第３の実施の形態に係る表示機構の適用された電子機器としての音声記録再生装置の特徴部分の構成を示す断面図である。
【符号の説明】
１１　　　表示窓
１４　　　録音表示ランプ
１４Ａ，１４Ａ１，１４Ａ２　　　ライトガイド
１９　　　システム制御部
２３　　　記録媒体
２４　　　操作部
２５　　　表示装置
２５Ａ　　　有機エレクトロルミネッセント（ＥＬ）パネル（ＯＥＬＤ）
２５Ｂ　　　透過型ＬＣＤパネル
２５Ｃ　　　ＥＬバックライト
２６　　　駆動回路
２７　　　遮光板
２８　　　押し釦
２９　　　窓兼ライトガイド部材
２９Ａ　　　窓部
２９Ｂ　　　ライトガイド部
【図１】
2004086006.tif 000003
【図２】
2004086006.tif 000004
【図３】
2004086006.tif 000005
【図４】
2004086006.tif 000006
【図５】
2004086006.tif 000007